(57)【要約】【課題】騒音を低減できる高信頼性のモータ回転子と、このモータ回転子を備えた圧縮機とを提供する。【解決手段】モータ回転子３０は、小貫通孔３３ｂをそれぞれ有する複数の積層鋼板３３と、複数の積層鋼板３３を積層方向において挟むと共に、小貫通孔３３ｂと重なる小貫通孔５７ｂ,６０ｂを有する上端板５７,下端板６０と、小貫通孔５７ｂ,６０ｂに挿通された軸部５８ａと、軸部５８ａの一端側に設けられた上頭部５８ｂと、軸部５８ａの他端側に設けられた下頭部５８ｃとを有して、複数の積層鋼板３３に上端板５７,下端板６０を締結するリベット５８と、上緩衝部材６２,下緩衝部材６３とを備える。上緩衝部材６２,下緩衝部材６３の一部は上頭部５８ｂと下頭部５８ｃの間に配置されている。【選択図】図４
2015198466.tif 000002
【特許請求の範囲】
【請求項１】
第１貫通孔(３３ｂ)をそれぞれ有する複数の積層鋼板(３３)と、
上記複数の積層鋼板(３３)を積層方向において挟むと共に、上記第１貫通孔(３３ｂ)と重なる第２貫通孔(５７ｂ,６０ｂ)をそれぞれ有する一対の端板(５７,６０)と、
上記第１,第２貫通孔(５７ｂ,６０ｂ)に挿通された軸部(５８ａ,１５８ａ,２５８ａ,３５８ａ,４５８ａ)と、上記軸部(５８ａ,１５８ａ,２５８ａ,３５８ａ,４５８ａ)の一端側に設けられた第１当接部(５８ｂ,１５８ｂ,２５８ｂ,３５８ｂ,４５８ｂ)と、上記軸部(５８ａ,１５８ａ,２５８ａ,３５８ａ,４５８ａ)の他端側に設けられた第２当接部(５８ｃ,１５８ｃ,２５８ｃ,３５８ｃ,４５８ｃ)とを有して、上記複数の積層鋼板(３３)に上記端板(５７,６０)を締結する締結部材(５８,１５８,２５８,３５８,４５８)と、
緩衝部材(６２,６３,２６２,３６２,３６３,４６２,４６３)と
を備え、
上記緩衝部材(６２,６３,２６２,３６２,３６３,４６２,４６３)の少なくとも一部は上記第１当接部(５８ｂ,１５８ｂ,２５８ｂ,３５８ｂ,４５８ｂ)と上記第２当接部(５８ｃ,１５８ｃ,２５８ｃ,３５８ｃ,４５８ｃ)の間に配置されていることを特徴とするモータ回転子(３０,１３０,２３０,３３０,４３０)。
【請求項２】
請求項１に記載のモータ回転子(３０,１３０)において、
上記端板(５７,６０)と上記積層鋼板(３３)の間に上記緩衝部材(６２,６３)が配置されていることを特徴とするモータ回転子(３０,１３０)。
【請求項３】
請求項１に記載のモータ回転子(２３０)において、
上記積層鋼板(３３)同士の間に上記緩衝部材(２６２)が配置されていることを特徴とするモータ回転子(２３０)。
【請求項４】
請求項１に記載のモータ回転子(３３０,４３０)において、
上記第１当接部(３５８ｂ,４５８ｂ)と上記一対の端板(５７,６０)の一方との間、および、上記第２当接部(３５８ｃ,４５８ｃ)と上記一対の端板(５７,６０)の他方との間の少なくとも一方に、上記緩衝部材(３６２,３６３,４６２,４６３)が配置されていることを特徴とするモータ回転子(３３０,４３０)。
【請求項５】
請求項１から４までのいずれか一項に記載のモータ回転子(３０,１３０,２３０,３３０,４３０)を備えたことを特徴とする圧縮機。
【発明の詳細な説明】
【技術分野】
【０００１】
この発明は、モータ回転子および圧縮機に関する。
【背景技術】
【０００２】
従来、モータ回転子としては、特開２００３−３１４４５６号公報(特許文献１)に開示されているように、圧縮機に使用されるものがある。より詳しくは、上記モータ回転子は、複数の積層鋼板、この複数の積層鋼板下に配置された下端板と、上記複数の積層鋼板上に配置された上端板とを備えている。すなわち、上記複数の積層鋼板が下端板と上端板によって上下方向において挟まれている。
【先行技術文献】
【特許文献】
【０００３】
【特許文献１】特開２００３−３１４４５６号公報
【発明の概要】
【発明が解決しようとする課題】
【０００４】
ところで、上記従来のモータ回転子では、積層鋼板に下端板および上端板をリベットで締結する場合がある。この場合、上記リベットのカシメを行うと、積層鋼板が下端板および上端板から圧縮力を受けて、モータ回転子の固有値が高くなる。
【０００５】
したがって、上記従来のモータ回転子には、圧縮機の音を増大させてしまうという問題があった。
【０００６】
上記問題を解決するため、リベットのカシメを弱くすると、積層鋼板への下端板または上端板の締結が不十分になる可能性が高くなる。すなわち、信頼性が低下してしまう。
【０００７】
そこで、この発明の課題は、騒音を低減できる高信頼性のモータ回転子と、このモータ回転子を備えた圧縮機とを提供することにある。
【課題を解決するための手段】
【０００８】
上記課題を解決するため、この発明のモータ回転子は、
第１貫通孔をそれぞれ有する複数の積層鋼板と、
上記複数の積層鋼板を積層方向において挟むと共に、上記第１貫通孔と重なる第２貫通孔をそれぞれ有する一対の端板と、
上記第１,第２貫通孔に挿通された軸部と、上記軸部の一端側に設けられた第１当接部と、上記軸部の他端側に設けられた第２当接部とを有して、上記複数の積層鋼板に上記端板を締結する締結部材と、
緩衝部材と
を備え、
上記緩衝部材の少なくとも一部は上記第１当接部と上記第２当接部の間に配置されていることを特徴としている。
【０００９】
上記構成によれば、上記緩衝部材の少なくとも一部は第１当接部と第２当接部の間に配置されている。これにより、上記端板から積層鋼板が受ける圧縮力を弱めて、固有値を下げることができる。したがって、上記モータ回転子を例えば圧縮機に使用した場合、圧縮機の騒音を低減できる。
【００１０】
また、上記緩衝部材の少なくとも一部は第１当接部と第２当接部の間に配置されているので、第１,第２当接部を積層鋼板側に強く押し付けても、端板から積層鋼板が受ける圧縮力を弱めることができる。したがって、上記積層鋼板への端板の締結が不十分になるのを防いで、信頼性を高めることができる。
【００１１】
一実施形態のモータ回転子では、
上記端板と上記積層鋼板の間に上記緩衝部材が配置されている。
【００１２】
上記実施形態によれば、上記端板と積層鋼板の間に緩衝部材が配置されているので、固有値を確実に下げることができる。
【００１３】
一実施形態のモータ回転子では、
上記積層鋼板同士の間に上記緩衝部材が配置されている。
【００１４】
上記実施形態によれば、上記端板と積層鋼板の間に緩衝部材が配置されているので、固有値を確実に下げることができる。
【００１５】
一実施形態のモータ回転子では、
上記第１当接部と上記一対の端板の一方との間、および、上記第２当接部と上記一対の端板の他方との間の少なくとも一方に、上記緩衝部材が配置されている。
【００１６】
上記実施形態によれば、上記第１当接部と上記一対の端板の一方との間、および、上記第２当接部と上記一対の端板の他方との間の少なくとも一方に、緩衝部材が配置されているので、固有値を確実に下げることができる。
【００１７】
この発明の圧縮機は、
この発明または上記実施形態のモータ回転子を備えたことを特徴としている。
【００１８】
上記構成によれば、上記モータ回転子を備えているので、低騒音化および高信頼化を実現できる。
【発明の効果】
【００１９】
この発明のモータ回転子によれば、複数の積層鋼板と、複数の積層鋼板を積層方向において挟む一対の端板と、複数の積層鋼板に端板を締結する締結部材と、緩衝部材とを備え、緩衝部材の少なくとも一部は第１当接部と第２当接部の間に配置されていることによって、固有値を下げることができるので、騒音を低減できる。
【００２０】
また、上記緩衝部材の少なくとも一部は第１当接部と第２当接部の間に配置されていることによって、第１,第２当接部を積層鋼板側に押し付ける力を弱めずに済むので、積層鋼板への端板の締結が不十分になるのを防いで、信頼性を高めることができる。
【図面の簡単な説明】
【００２１】
【図１】図１はこの発明の第１実施形態の圧縮機の概略縦断面図である。
【図２】図２は上記第１実施形態のモータ回転子の模式上面図である。
【図３】図３は上記モータ回転子の模式下面図である。
【図４】図４は図２のIV−IV線矢視の模式断面図である。
【図５】図５は上記第１実施形態の第１変形例のモータ回転子の模式縦断面図である。
【図６】図６は上記第１実施形態の第２変形例のモータ回転子の模式縦断面図である。
【図７】図７はこの発明の第２実施形態の圧縮機のモータ回転子の模式縦断面図である。
【図８】図８は上記第２実施形態の変形例のモータ回転子の模式縦断面図である。
【発明を実施するための形態】
【００２２】
以下、この発明のモータ回転子および圧縮機を図示の実施形態により詳細に説明する。
【００２３】
〔第１実施形態〕
図１はこの発明の第１実施形態の圧縮機の概略縦断面図である。
【００２４】
上記圧縮機は、密閉容器１と、この密閉容器１内の下側に配置された圧縮機構部２と、密閉容器１内の上側に配置されたモータ３とを備えている。この圧縮機は、ロータリ圧縮機である。
【００２５】
上記密閉容器１の下側側方には吸込管１１が接続されている一方、密閉容器１の上側には吐出管１２が接続されている。この吸込管１１から供給される冷媒は、上記圧縮機構部２の吸込側に導かれる。
【００２６】
上記モータ３は、圧縮機構部２の上側に配置され、圧縮機構部２を回転軸４を介して駆動する。また、モータ３は、圧縮機構部２から吐出された高圧の冷媒が満たされる密閉容器１内の高圧領域に配置されている。
【００２７】
上記密閉容器１内の下部には、潤滑油が溜められた油溜まり部１０が形成されている。この潤滑油は、油溜まり部１０から、回転軸４に設けられた(図示しない)油通路を通って、圧縮機構部２やモータ３のベアリング等の摺動部に移動して、この摺動部を潤滑する。
【００２８】
上記圧縮機構部２は、シリンダ２０と、このシリンダ２０の上の開口端に取り付けられたフロントヘッド８と、シリンダ２０の下の開口端に取り付けられたリアヘッド９とを備えている。
【００２９】
上記回転軸４は、フロントヘッド８およびリアヘッド９を貫通して、シリンダ２０の内部に挿入されている。この回転軸４は、フロントヘッド８の軸受２１とリアヘッド９の軸受２２とにより、回転可能に支持されている。
【００３０】
上記シリンダ２０内の回転軸４にクランクピン５が設けられ、このクランクピン５には、ローラ６が嵌合され、ローラ６とシリンダ７との間に形成された圧縮室７により、圧縮を行う。ローラ６は、偏芯した状態で回転し、または、公転運動を行い、圧縮室７の容積を変化させる。
【００３１】
上記モータ３は、モータ回転子３０およびモータ固定子４０を有する。このモータ回転子３０は、円筒形状であり、回転軸４に固定されている。モータ固定子４０は、モータ回転子３０の外周側を囲むように配置されている。すなわち、モータ３は、インナーロータ型のモータである。
【００３２】
上記モータ固定子４０は、モータ固定子鉄心４１と、モータ固定子鉄心４１の複数の歯部に巻回されるコイル４２とを有する。
【００３３】
図２はモータ回転子３０の模式上面図である。また、図３はモータ回転子３０の模式下面図である。また、図４は図２のIV−IV線矢視の模式断面図である。
【００３４】
上記モータ回転子３０は、図２〜図４に示すように、回転子コア５６と、円環板状の上端板５７と、円環板状の下端板６０と、４つのリベット５８とを備えている。なお、上端板５７は一対の端板の一方の一例であり、下端板５８は一対の端板の他方の一例である。また、リベット５８は締結部材一例である。
【００３５】
上記回転子コア５６は、軸方向に積層された複数の積層鋼板３３と、上緩衝部材６２と、下緩衝部材６３とから構成されている。また、回転子コア５６は、軸方向に沿って延びる４つのリベット孔５９を有する。この４つのリベット孔５９は、周方向に等間隔を空けて配置されている。また、回転子コア５６には、４つのリベット孔５９に取り囲まれる箇所に回転軸孔６１が形成されている。この回転軸孔６１には回転軸４の上部が嵌合する。なお、図示しないが、回転子コア５６は複数の永久磁石も有している。
【００３６】
上記各積層鋼板３３は、回転軸孔６１の一部となる大貫通孔３３ａを中心部に有し、軸方向から見た形状が上端板５７および下端板６０と略同形状になっている。また、各積層鋼板３３には、大貫通孔３３ａを取り囲むように４つの小貫通孔３３ｂが形成されている。この各小貫通孔３３ｂがリベット孔５９の一部となる。なお、小貫通孔３３ｂは第１貫通孔の一例である。
【００３７】
上記上端板５７および下端板６０は、複数の積層鋼板３３を積層方向において挟んでいる。また、上端板５７,下端板６０は、回転軸孔６１に重なって連通する大貫通孔５７ａ,６０ａと、リベット孔５９に重なって連通する複数の小貫通孔５７ｂ,６０ｂとを有する。なお、小貫通孔５７ｂ,６０ｂは第２貫通孔の一例である。
【００３８】
上記各リベット５８は、リベット孔５９に挿通された軸部５８ａと、この軸部５８ａの一端側に設けられた上頭部５８ｂと、軸部５８ａの他端側に設けられた下頭部５８ｃとを有し、複数の積層鋼板３３に上端板５７および下端板６０を締結する。また、各リベット５８の上頭部５８ｂは上端板５７に当接する一方、各リベット５８の下頭部５８ｃは下端板６０に当接する。また、各リベット５８において、上頭部５８ｂおよび下頭部５８ｃの一方は、カシメによって形成される。なお、上頭部５８ｂは第１当接部の一例であり、下頭部５８ｃは第２当接部の一例である。
【００３９】
また、上記モータ回転子３０は、最上層の積層鋼板３３と上端板５７の間の全周にわたって配置された上緩衝部材６２と、最下層の積層鋼板３３と下端板６０の間の全周にわたって配置された下緩衝部材６３とを備えている。なお、上緩衝部材６２,下緩衝部材６３は緩衝部材の一例である。
【００４０】
上記上緩衝部材６２および下緩衝部材６３は、それぞれ、例えば弾性材料で形成されて、一部が上頭部５８ｂと下頭部５８ｃの間に位置している。また、上緩衝部材６２,下緩衝部材６３は、積層鋼板３３の大貫通孔３３ａに重なって連通する大貫通孔６２ａ,６３ａと、積層鋼板３３の小貫通孔３３ｂに重なって連通する複数の小貫通孔６２ｂ,６３ｂとを有する。また、上緩衝部材６２および下緩衝部材６３は、それぞれ、軸方向から見た形状が上端板５７および下端板６０と略同形状となるように形成されている。すなわち、上緩衝部材６２および下緩衝部材６３は共に円環板形状である。
【００４１】
上記構成の圧縮機によれば、上緩衝部材６２および下緩衝部材６３の各一部が上頭部５８ｂと下頭部５８ｃの間に位置しているので、上端板５７および下端板６０から積層鋼板３３が受ける圧縮力を弱めて、モータ回転子３０の固有値を下げることができる。したがって、上記圧縮機の騒音を低減できる。
【００４２】
また、上記上緩衝部材６２および下緩衝部材６３の各一部が上頭部５８ｂと下頭部５８ｃの間に位置しているので、上頭部５８ｂおよび下頭部５８ｃを積層鋼板３３側に強く押し付けても、上頭部５８ｂおよび下頭部５８ｃから積層鋼板３３が受ける圧縮力を弱めることができる。したがって、積層鋼板３３への上端板５７および下端板６０の締結が不十分になるのを防いで、信頼性を高めることができる。
【００４３】
また、上記上端板５７,下端板６０と積層鋼板３３の間の全周にわたって上緩衝部材６２,下緩衝部材６３が配置されているので、モータ回転子３０の固有値を確実に下げることができる。
【００４４】
例えば、上記モータ回転子３０の構成を用いることにより、固有値を６００〜７００から５００〜３００に下げることができる。
【００４５】
上記第１実施形態では、一部が上頭部５８ｂと下頭部５８ｃの間に位置する上緩衝部材６２を用いていたが、全部が上頭部５８ｂと下頭部５８ｃの間に位置する上緩衝部材を用いてもよい。
【００４６】
上記第１実施形態では、一部が上頭部５８ｂと下頭部５８ｃの間に位置する下緩衝部材６３を用いていたが、全部が上頭部５８ｂと下頭部５８ｃの間に位置する下緩衝部材を用いてもよい。
【００４７】
上記第１実施形態では、最上層の積層鋼板３３と上端板５７の間に上緩衝部材６２が配置されると共に、最下層の積層鋼板３３と下端板６０の間に下緩衝部材６３が配置されていたが、最上層の積層鋼板３３と上端板５７の間には上緩衝部材６２が配置されるが、最下層の積層鋼板３３と下端板６０の間には下緩衝部材６３が配置されないようにしてもよい。あるいは、最下層の積層鋼板３３と下端板６０の間には下緩衝部材６３が配置されるが、最上層の積層鋼板３３と上端板５７の間には上緩衝部材６２が配置されないようにしてもよい。
【００４８】
上記第１実施形態では、リベット孔５９,リベット５８の数は４つであったが、４つ以外の複数にしてもよい。
【００４９】
上記第１実施形態では、モータ回転子３０は、バランスウェイトを備えていなかったが、バランスウェイトを備えてもよい。例えば、圧縮機は、図５に示すモータ回転子１３０を備えてもよい。このモータ回転子１３０では、上端板５７上に上バランスウェイト１７１が配置されると共に、下端板６０下に下バランスウェイト１７２が配置されている。このようにする場合、リベット５８よりも長いリベット１５８が使用される。なお、リベット１５８は締結部材の一例である。
【００５０】
上記リベット１５８は、リベット孔５９に挿通された軸部１５８ａと、この軸部１５８ａの一端側に設けられた上頭部１５８ｂと、軸部１５８ａの他端側に設けられた下頭部１５８ｃとを有し、複数の積層鋼板３３に上端板５７および下端板６０を締結する。各リベット１５８は、上頭部１５８ｂが上端板５７に当接するか、下頭部１５８ｃが下端板６０に当接する。上頭部１５８ｂが上端板５７に当接するリベット１５８では、下頭部１５８ｃが下バランスウェイト１７２に当接する。また、下頭部１５８ｃが下端板６０に当接するリベット１５８では、上頭部１５８ｂが上バランスウェイト１７１に当接する。また、各リベット１５８において、上頭部１５８ｂおよび下頭部１５８ｃの一方はカシメによって形成されている。なお、上頭部１５８ｂは第１当接部の一例であり、下頭部５８ｃは第２当接部の一例である。
【００５１】
また、上記上緩衝部材６２および下緩衝部材６３は、上記第１実施形態と同様に、各一部が上頭部１５８ｂと下頭部１５８ｃの間に位置している。
【００５２】
このように、上記上バランスウェイト１７１および下バランスウェイト１７２を用いても、上記第１実施形態と同様の作用効果が得られる。
【００５３】
なお、図５において、図４の構成部と同一構成部は、図４の参照番号と同一参照番号を付している。
【００５４】
また、圧縮機は、例えば図６に示すモータ回転子２３０を備えてもよい。このモータ回転子２３０では、回転子コア２５６の積層鋼板３３同士の間に緩衝部材２６２が配置されている。このようにする場合、リベット１５８よりも短いリベット２５８が使用される。なお、リベット２５８は締結部材の一例である。
【００５５】
上記リベット２５８は、リベット孔２５９に挿通された軸部２５８ａと、この軸部２５８ａの一端側に設けられた上頭部２５８ｂと、軸部２５８ａの他端側に設けられた下頭部２５８ｃとを有し、複数の積層鋼板３３に上端板５７および下端板６０を締結する。各リベット２５８は、上頭部２５８ｂが上端板５７に当接するか、下頭部２５８ｃが下端板６０に当接する。上頭部２５８ｂが上端板５７に当接するリベット２５８では、下頭部２５８ｃが下バランスウェイト１７２に当接する。また、下頭部２５８ｃが下端板６０に当接するリベット２５８では、上頭部２５８ｂが上バランスウェイト１７１に当接する。また、各リベット２５８において、上頭部２５８ｂおよび下頭部２５８ｃの一方はカシメによって形成されている。なお、上頭部２５８ｂは第１当接部の一例であり、下頭部５８ｃは第２当接部の一例である。
【００５６】
また、上記緩衝部材２６２は、上記第１実施形態と同様に、一部が上頭部２５８ｂと下頭部２５８ｃの間に位置している。また、緩衝部材２６２は、積層鋼板３３の大貫通孔３３ａに重なって連通する大貫通孔２６２ａと、積層鋼板３３の小貫通孔３３ｂに重なって連通する複数の小貫通孔２６２ｂとを有する。また、緩衝部材２６２は、軸方向から見た形状が上端板５７および下端板６０と略同形状となるように形成されている。
【００５７】
このように、上記積層鋼板３３同士の間に緩衝部材２６２を配置しても、上記第１実施形態と同様の作用効果が得られる。
【００５８】
なお、図６において、図５の構成部と同一構成部は、図５の参照番号と同一参照番号を付している。また、図示しないが、回転子コア２５６は複数の永久磁石を有している。
【００５９】
〔第２実施形態〕
図７はこの発明の第２実施形態のモータ回転子３３０の模式縦断面図である。なお、図７では、図４の構成部と同一構成は、図４の参照番号と同一参照番号を付している。また、以下の説明においても、上記第１実施形態の構成部と同一構成部は、上記第１実施形態の構成部の参照番号を付している。
【００６０】
上記モータ回転子３３０は、回転子コア３５６と、円環板状の上端板５７と、円環板状の下端板６０と、４つのリベット３５８とを備えている。なお、リベット３５８は締結部材の一例である。
【００６１】
上記回転子コア３５６は、軸方向に積層された複数の積層鋼板３３から成っている。また、回転子コア３５６は、軸方向に沿って延びる４つのリベット孔３５９を有する。この４つのリベット孔３５９は、周方向に等間隔を空けて配置されている。また、回転子コア３５６には、４つのリベット孔３５９に取り囲まれる箇所に回転軸孔３６１が形成されている。この回転軸孔３６１には回転軸４の上部が嵌合する。なお、図示しないが、回転子コア３５６は複数の永久磁石も有している。
【００６２】
上記各リベット３５８は、リベット孔３５９に挿通された軸部３５８ａと、この軸部３５８ａの一端側に設けられた上頭部３５８ｂと、軸部３５８ａの他端側に設けられた下頭部３５８ｃとを有し、複数の積層鋼板３３に上端板５７および下端板６０を締結する。また、各リベット３５８において、上頭部３５８ｂおよび下頭部３５８ｃの一方は、カシメによって形成される。なお、上頭部３５８ｂは第１当接部の一例であり、下頭部３５８ｃは第２当接部の一例である。
【００６３】
また、上記モータ回転子３０は、大部分が上頭部３５８ｂと下頭部３５８ｃの間に配置された上バネワッシャ３６２と、大部分が上頭部３５８ｂと下頭部３５８ｃの間に配置された下バネワッシャ３６３とを備えている。
【００６４】
上記上バネワッシャ３６２,下バネワッシャ３６３は、積層鋼板３３の小貫通孔３３ｂに重なって連通する貫通孔３６２ａ,３６３ａを有する。また、径方向において隣り合う２つのリベット３５８のうち、一方のリベット３５８の上頭部３５８ｂが上バネワッシャ３６２に当接し、他方のリベット３５８の下頭部３５８ｃが下バネワッシャ３６３に当接している。ここで、上記一方のリベット３５８の下頭部３５８は下端板６０に当接し、上記他方のリベット３５８の上頭部３５８ｂは上端板５７に当接している。
【００６５】
上記構成のモータ回転子３３０によれば、上バネワッシャ３６２の大部分が上頭部３５８ｂと下頭部３５８ｃの間に配置され、下バネワッシャ３６３の大部分が上頭部３５８ｂと下頭部３５８ｃの間に配置されているので、上端板５７および下端板６０から積層鋼板３３が受ける圧縮力を弱めて、固有値を下げることができる。したがって、上記圧縮機の騒音を低減できる。
【００６６】
また、上記上バネワッシャ３６２の大部分が上頭部３５８ｂと下頭部３５８ｃの間に配置され、下バネワッシャ３６３の大部分が上頭部３５８ｂと下頭部３５８ｃの間に配置されているので、上頭部５８ｂおよび下頭部５８ｃを積層鋼板３３側に強く押し付けても、上頭部５８ｂおよび下頭部５８ｃから積層鋼板３３が受ける圧縮力を弱めることができる。したがって、積層鋼板３３への上端板５７および下端板６０の締結が不十分になるのを防いで、信頼性を高めることができる。
【００６７】
また、上バネワッシャ３６２の大部分がリベット３５８の上頭部３５８ｂと上端板５７との間に配置され、下バネワッシャ３６３の大部分がリベット３５８の下頭部３５８ｃと下端板６０との間に配置されているので、モータ回転子３０の固有値を確実に下げることができる。
【００６８】
例えば、上記モータ回転子３３０の構成を用いることにより、固有値を６００〜７００から５００〜３００に下げることができる。
【００６９】
上記第２実施形態では、大部分が上頭部３５８ｂと下頭部３５８ｃの間に配置された上バネワッシャ３６２を用いていたが、全部が上頭部３５８ｂと下頭部３５８ｃの間に配置された上バネワッシャを用いてもよい。
【００７０】
上記第２実施形態では、大部分が上頭部３５８ｂと下頭部３５８ｃの間に配置された下バネワッシャ３６３を用いていたが、全部が上頭部３５８ｂと下頭部３５８ｃの間に配置された下バネワッシャを用いてもよい。
【００７１】
上記第２実施形態において、各リベット３５８では、上頭部３５８ｂが上バネワッシャ３６２に当接するか、下頭部３５８ｃが下バネワッシャ３６３に当接するかのどちらかであったが、上頭部３５８ｂが上バネワッシャ３６２に当接し、かつ、下頭部３５８ｃが下バネワッシャ３６３に当接するようにしてもよい。
【００７２】
上記第２実施形態では、リベット孔３５９,リベット３５８の数は４つであったが、４つ以外の複数にしてもよい。
【００７３】
上記第２実施形態では、モータ回転子３３０は、バランスウェイトを備えていなかったが、バランスウェイトを備えてもよい。例えば、圧縮機は、図８に示すモータ回転子４３０を備えてもよい。このモータ回転子４３０は、上バランスウェイト４７１および下バランスウェイト４７２を備えている。このようにする場合、リベット３５８よりも長いリベット４５８が使用される。なお、リベット４５８は締結部材の一例である。
【００７４】
上記リベット４５８は、リベット孔３５９に挿通された軸部４５８ａと、この軸部４５８ａの一端側に設けられた上頭部４５８ｂと、軸部４５８ａの他端側に設けられた下頭部４５８ｃとを有し、複数の積層鋼板３３に上端板５７および下端板６０を締結する。また、各リベット４５８において、上頭部４５８ｂおよび下頭部４５８ｃの一方はカシメによって形成されている。なお、上頭部４５８ｂは第１当接部の一例であり、下頭部５８ｃは第２当接部の一例である。
【００７５】
また、上記モータ回転子３３０は、略全部が上バランスウェイト４７１と上端板５７の間に配置された上バネワッシャ４６２と、略全部が下バランスウェイト４７２と下端板６０の間に配置された下バネワッシャ４６３とを備えている。
【００７６】
上記上バネワッシャ４６２,下バネワッシャ４６３は、積層鋼板３３の小貫通孔３３ｂに重なって連通する貫通孔４６２ａ,４６３ａを有する。また、上記上バネワッシャ４６２,下バネワッシャ４６３は、上記第１実施形態と同様に、各一部が上頭部５８ｂと下頭部５８ｃの間に位置している。また、径方向において隣り合う２つのリベット４５８のうち、一方のリベット４５８の上頭部４５８ｂが上バランスウェイト４７１に当接し、他方のリベット４５８の下頭部４５８ｃが下バランスウェイト４７２に当接している。ここで、上記一方のリベット４５８の下頭部４５８は下端板６０に当接し、上記他方のリベット４５８の上頭部４５８ｂは上端板５７に当接している。
【００７７】
このように、上記上バランスウェイト１７１および下バランスウェイト１７２を用いても、上記第２実施形態と同様の作用効果が得られる。
【００７８】
なお、図８において、図７の構成部と同一構成部は、図７の参照番号と同一参照番号を付している。
【００７９】
この発明の具体的な実施形態について説明したが、この発明は上記実施形態に限定されるものではなく、この発明の範囲内で種々変更して実施することができる。例えば、上記第１実施形態で記載した内容と、第２実施形態で記載した内容とを適宜組み合わせたものを、本発明の一実施形態としてもよい。あるいは、上記第１実施形態または第２実施形態において、ボルトおよびナットを締結部材の一例として用いてもよい。
【符号の説明】
【００８０】
３０,１３０,２３０,３３０,４３０  モータ回転子
３３  積層鋼板
３３ａ  大貫通孔
３３ｂ  小貫通孔
５７  上端板
５７ａ  小貫通孔
５７ｂ  大貫通孔
５８,１５８,２５８,３５８,４５８  リベット
５８ａ,１５８ａ,２５８ａ,３５８ａ,４５８ａ  軸部
５８ｂ,１５８ｂ,２５８ｂ,３５８ｂ,４５８ｂ  上頭部
５８ｃ,１５８ｃ,２５８ｃ,３５８ｃ,４５８ｃ  下頭部
６０  下端板
６０ａ  小貫通孔
６０ｂ  大貫通孔
６２  上緩衝部材
６３  下緩衝部材
２６２  緩衝部材
３６２４６２  上バネワッシャ
３６３,４６３  下バネワッシャ
【図１】
2015198466.tif 000003
【図２】
2015198466.tif 000004
【図３】
2015198466.tif 000005
【図４】
2015198466.tif 000006
【図５】
2015198466.tif 000007
【図６】
2015198466.tif 000008
【図７】
2015198466.tif 000009
【図８】
2015198466.tif 000010